(57)【要約】【課題】往信時には封筒、或いは宅配便用の袋や投げ込み投函用のポスティング袋等として使用され、返信時に封筒として通信される往復通信用袋体に関し、印刷のためのコストが必要以上に増大することがなく、従って従来の往復通信用の封筒に比べて製造コストを低減させることができ、しかも返信用封筒の宛先、宛名等の表示を、少なくとも往信時には好適に隠蔽することができる往復通信用袋体を提供することを課題とする。【解決手段】袋本体のいずれか一片が他片より延長されて封緘片が形成され、且つ該封緘片に返信用封筒が具備されていることを特徴とする。【選択図】    図１
2004256150.tif 000002
【特許請求の範囲】
【請求項１】
袋本体（１）  のいずれか一片（１ａ）が他片（１ｂ）より延長されて封緘片（３）  が形成され、且つ該封緘片（３）  に返信用封筒が具備されていることを特徴とする往復通信用袋体。
【請求項２】
返信用封筒がミシン目を介して袋本体（１）  から切り取り可能に形成されている請求項１記載の往復通信用袋体。
【請求項３】
袋本体（１）  のいずれか一片（１ａ）が他片（１ｂ）より延長されて封緘片（３）  が形成され、且つ前記袋本体（１）  の一片（１ａ）には往信時の宛先、宛名を表示する表示欄（１２）が設けられているとともに、前記袋本体（１）  の他片（１ｂ）には返信時の宛先、宛名を表示する表示欄（１３）が設けられ、且つ該返信時の宛先、宛名を表示する表示欄（１３）は、往信時において、前記封緘片（３）  によって隠蔽されるように構成されていることを特徴とする往復通信用袋体。
【請求項４】
袋本体（１）  のいずれか一片（１ａ）が他片（１ｂ）より延長されて封緘片（３）  が形成され、且つ該封緘片（３）  には往信時の宛先、宛名を表示する表示欄（１２）が設けられているとともに、前記袋本体（１）  の他片（１ｂ）には返信時の宛先、宛名を表示する表示欄（１３）が設けられ、且つ該返信時の宛先、宛名を表示する表示欄（１３）は、往信時において、前記封緘片（３）  によって隠蔽されるように構成されていることを特徴とする往復通信用袋体。
【請求項５】
封緘片（３）  が、返信時において袋本体（１）  から分離可能に構成されている請求項３又は４記載の往復通信用袋体。
【発明の詳細な説明】
【０００１】
【発明の属する技術分野】
本発明は、往復通信用袋体、さらに詳しくは、往信時には封筒、或いは宅配便用の袋や投げ込み投函用のポスティング袋等として使用され、返信時に封筒として通信される往復通信用袋体に関する。
【０００２】
【従来の技術及び発明が解決しようとする課題】
周知のように、往復通信のための通信媒体として往復葉書が広く用いられているが、封筒の場合には往復通信用としては現在ごく一部のものしか用いられていない。
【０００３】
その一例として、たとえば返信用の封筒を封入物とともに往信用の封筒内に封入して用いられるものがある。この種の封筒は、たとえば商品等に関する説明書きを封入物として封筒内に封入するとともに、その商品等の購入の申込を行うための書簡を返信用封筒に封入し、商品購買のためのダイレクトメール用等として用いられる。また宅配便等、郵便以外の通信手段が普及しつつあることから、このような商品等の購入申込用葉書を同封した宅配便用の袋も近年利用されている。
【０００４】
そして、この種の封筒は、商品購買ダイレクトメール用以外の用途でも用いられることがあるが、いずれにしても往信用の封筒とは別に返信用の封筒を準備しなければならないため、往信用の封筒と返信用の封筒との印刷も別々に行わなければならず、全体としての製造コストが一般の封筒に比べて増大することとなっていた。
【０００５】
本発明は、このような問題点を解決するためになされたもので、印刷のためのコストが必要以上に増大することがなく、従って従来の往復通信用の封筒に比べて製造コストを低減させることができ、しかも返信用封筒の宛先、宛名等の表示を、少なくとも往信時には好適に隠蔽することができる往復通信用袋体を提供することを課題とするものである。
【０００６】
【課題を解決するための手段】
本発明は、このような課題を解決するためになされたもので、その課題を解決するための手段は、袋本体１のいずれか一片１ａが他片１ｂより延長されて封緘片３が形成され、且つ該封緘片３に返信用封筒が具備されていることである。
【０００７】
返信用封筒は、たとえばミシン目を介して封緘片３から切り取り可能に形成されている。
【０００８】
また、他の往復通信用袋体の特徴は、袋本体１のいずれか一片１ａが他片１ｂより延長されて封緘片３が形成され、且つ前記袋本体１の一片１ａには往信時の宛先、宛名を表示する表示欄１２が設けられているとともに、前記袋本体１の他片１ｂには返信時の宛先、宛名を表示する表示欄１３が設けられ、且つ該返信時の宛先、宛名を表示する表示欄１３は、往信時において、前記封緘片３によって隠蔽されるように構成されていることである。
【０００９】
さらに、他の往復通信用袋体の特徴は、袋本体１のいずれか一片１ａが他片１ｂより延長されて封緘片３が形成され、且つ該封緘片３には往信時の宛先、宛名を表示する表示欄１２が設けられているとともに、前記袋本体１の他片１ｂには返信時の宛先、宛名を表示する表示欄１３が設けられ、且つ該返信時の宛先、宛名を表示する表示欄１３は、往信時において、前記封緘片３によって隠蔽されるように構成されていることである。
これらの場合において、封緘片３は、好ましくは返信時において袋本体１から分離可能に構成される。
【００１０】
【発明の実施の形態】
以下、本発明の実施形態について図面に従って説明する。
【００１１】
（実施形態１）
本実施形態の往復通信用封筒の袋本体１は、図１乃至図３に示すように、該袋本体１を構成する表裏両片１ａ，１ｂ  の両側縁部２ａ，２ｂ  及び底縁部２ｃの三方を熱圧着し、全体が縦長の長方形状の袋状に形成されている。
【００１２】
前記袋本体１の一片１ａは紙からなり、また他片１ｂは延伸ポリプロピレン等の合成樹脂フィルムからなり、前記紙製の一片１ａの裏面側には図４に示すように、延伸ポリプロピレンからなるラミネート層４が塗着によって形成されている。このように袋本体１の一片１ａの裏面側に、袋本体１の他片１ｂと同じ材質の延伸ポリプロピレンからなるラミネート層４が形成されていることによって、上記のように袋本体１の表裏両片１ａ，１ｂ  の両側縁部２ａ，２ｂ  及び底縁部２ｃの三方が好適に熱圧着されるのである。
【００１３】
袋本体１の一片１ａは、袋本体１の上部の開口部５から他片１ｂより延出され、その延出された部分が封緘片３として形成されている。
【００１４】
この封緘片３の上下には、図３に示すように接着剤６，７を介して離型材８，９が設けられている。さらに、前記開口部５の直下の袋本体１の一片１ａ側にも、接着剤１０を介して離型材１１が設けられている。
【００１５】
袋本体１の一片１ａの表面側には、往信時の宛先宛名表示欄１２が形成されている。また、袋本体１の他片１ｂの表面側には、返信時の宛先宛名表示欄１３が形成されている。
【００１６】
また、袋本体１の両片１ａ，１ｂ  の三方側縁は前記フィルムからなる他片１ｂ側から熱圧着されているため、図５に示すように、熱圧着された両側縁部２ａ，２ｂ  が他片１ｂ側にやや屈曲した状態に形成され、両片１ａ，１ｂ  間が密着せずに形成されてなる。
【００１７】
そして、上記のような構成からなる往復封筒を使用する場合について説明すると、往信時においては、発信者は袋本体１の一片１ａ側の宛先宛名表示欄１２に所定の宛先宛名を表示し、袋本体１内に所定事項を記載した封入物１４（たとえばダイレクトメール用として商品を表示した用紙等）を開口部５から袋本体１内に収容し、図６に示すように封緘片３を折り曲げて袋本体１の他片１ｂ側に接着する。より具体的には、離型材８，９を剥離し、封緘片３の先端部側を、接着剤６を介して袋本体１の他片１ｂの比較的下側に接着し、封緘片３の根元部側を、接着剤７を介して封筒本体１の他片１ｂの上側、すなわち開口部５の近辺に接着する。
【００１８】
本実施形態の封緘片３は、上述のように長く形成されているが、上下２箇所の接着剤６，７によって袋本体１の他片１ｂに接着されるので、不用意に剥離されることなく、封緘状態が確実に維持されることとなる。
【００１９】
一方、上記のような往復封筒を受信した受信者は、封緘片３を袋本体１から剥離して開封し、封入物１４の記載内容を見て、別に準備された返答用紙に所定事項を表示し（たとえば商品の申し込みを行う等）、返信のために袋本体１内に返信用の封入物１６として封入する。返信時の宛先宛名表示欄１３に所定の宛先宛名が往信者によって予め表示されており、従って、返信者はこれを表示する必要がない。
【００２０】
返信者は、図７に示すようにミシン目１５を介して封緘片３を袋本体１から切り取り、その後、図８及び図９に示すように離型材１１を剥離し、接着剤１０を介して袋本体１の一片１ａ側の上部を他片１ｂ側の上部に接着する。これによって袋本体１の開口部５が閉塞され、返信用の封筒として返信することが可能となる。
【００２１】
返信時においては、袋本体１の他片１ｂ側の宛先宛名表示欄１３に表示された宛先宛名に基づいて郵送が行われる。この場合、袋本体１の一片１ａ側の宛先宛名表示欄１２には、往信時の宛先宛名が表示された状態のままである。従って袋本体１の両片１ａ，１ｂ  に宛先宛名が表示されていることになるので、混乱が生じるおそれもある。
【００２２】
従って、その場合には、往信時の宛先宛名を、線描きや修正液等で消去して返送する。
【００２３】
或いは、上記のようにミシン目１５を介して袋本体１から切り取った封緘片３を、図９に示すように袋本体１の一片１ａ側に接着し、その封緘片３で往信時の宛先宛名表示欄１２を覆い隠して返送することも可能である。
この場合、図９に示すように、往信時に利用していた接着剤６，７をそのまま利用して返信時に封緘片３を袋本体１の一片１ａ側に接着してもよいが、接着剤６，７の接着力が弱まっている場合には、新たに接着剤を塗布して使用することも可能である。
【００２４】
本実施形態においては、返信時の宛先宛名表示欄１３が袋本体１の他片１ｂ側に表示され、往信時に封緘片３で袋本体１が封緘された状態においては、前記返信時の宛先宛名表示欄１３が表示された袋本体１の他片１ｂは、封緘片３と対面した状態となって、封緘片３によって前記返信時の宛先宛名表示欄１３が覆い隠されるため、外部から見えない状態となる。
【００２５】
従って往信時においては、袋本体１の一片１ａ側の宛先宛名表示欄１２に表示された宛先宛名に基づいて郵送がなされ、返信時の宛先宛名表示欄１３は外部に裸出されないので、郵送上混乱が生ずるようなことがない。
【００２６】
一方、返信時には、往信時における宛先宛名表示欄１２が裸出されたままの状態であるので、郵送上混乱が生ずると判断される場合には、上述のように往信時の宛先宛名を消去して返送するか、或いは袋本体１から切り取った封緘片３を袋本体１の一片１ａ側に接着し、その封緘片３で往信時の宛先宛名表示欄１２を覆い隠して返送することによって、返信時における郵送上の混乱も好適に防止することができる。
【００２７】
（実施形態２）
本実施形態では、図１０に示すように、封緘片３の側縁がわずかに斜めになるように形成されており、その結果、同図のように封緘片３の先端部の幅の寸法Ｌ２が、袋本体１の幅Ｌ１よりわずかに狭くなっている。
【００２８】
このように封緘片３の側縁がわずかに斜めに形成して、封緘片３の先端部の幅の寸法Ｌ２が袋本体１の幅Ｌ１よりわずかに狭くなるように形成することで、上記図９のように往信時の宛先宛名表示欄１２を覆い隠すために封筒本体１から切り取った封緘片３を袋本体１の一片１ａ側に接着する場合に、その封緘片３の貼り付けの作業を容易かつ迅速に行うことができる。
【００２９】
ちなみに、封緘片３の側縁がまっすぐ形成されていて、封緘片３と袋本体１とが同幅に形成されている場合には、封緘片３と袋本体１との側縁の位置がずれた状態で貼り付けると、封緘片３が袋本体１の側縁からわずかにはみ出る状態となるので、これを避けるべく封緘片３と袋本体１との側縁を極力合致させるように貼り付けなければならず、その貼り付けのための作業を迅速且つ容易に行うことができないが、上記のように封緘片３の側縁を斜めに形成して封緘片３の先端部の幅を袋本体１の幅より狭く形成することで、このような問題を解決することができるのである。
【００３０】
上記の点以外の構成は実施形態１と同じであるため、その説明は省略する。
【００３１】
（実施形態３）
本実施形態では、図１１に示すように袋本体１に一片１ａの表面側に窓部１７が形成されており、往信時の宛先宛名表示欄１２は設けられていない。この点で、実施形態１と相違する。
【００３２】
このように、宛先宛名表示欄１２を設けることに代えて窓部１７が形成されているので、封入物に記載された宛先宛名を前記窓部１７から裸出させるようにして封入物を封入することで、往信時の宛先宛名の表示がなされることとなる。
【００３３】
本実施形態のような窓部１７は、実施形態１の宛先宛名表示欄１２のように消去することはできない。また、往信後の封筒を受領した者が封筒を開封した後は、往信時の宛先宛名の表示がなされた封入物が抜き取られ、返信時に窓部１７から宛先宛名の表示がなされるわけではないので、返信時においては窓部１７を必ずしも隠蔽する必要がない。
【００３４】
しかし、返信時には袋本体１の他片１ｂ側の宛先宛名表示欄１３に基づいて郵送がなされるとはいえ、窓部１７が存在した状態のまま返信されると、郵送上の混乱を完全に解消できるとはいえない。そこで、そのようなことが懸念される場合には、図９の場合と同様に封緘片３を袋本体１の一片１ａ側に貼り付け、窓部１７を覆い隠すことができる。
【００３５】
尚、この場合においても、上記実施形態２（図１０）のように、封緘片３の側縁をわずかに斜めに形成し、封緘片３の先端部の幅が袋本体１の幅よりわずかに狭くなるように形成すると、封緘片３の貼り付けの作業を容易かつ迅速に行うことができるという利点がある。
【００３６】
（実施形態４）
本実施形態では、主として大型の封筒を対象としており、その点で主として小形の封筒を対象とする実施形態１乃至実施形態３と相違する。
【００３７】
本実施形態では、図１２乃至図１４に示すように、袋本体１の一片１ａが紙製で他片１ｂが合成樹脂フィルムからなる点で実施形態１と共通するが、封緘片３も紙製の一片１ａと合成樹脂フィルムからなる他片１ｂとで構成されており、この点で封緘片３が紙製の一片のみからなる実施形態１の場合と相違する。
【００３８】
そして、図１３に示すように、封緘片３を構成する表裏両片３ａ，３ｂ  の両側縁部１８ａ，１８ｂ  及び上縁部１８ｃ  の三方が熱圧着され、封緘片３の側も全体が袋状に形成されている。そして、熱圧着されていない下縁部が封緘片３の開口部１９として形成されている。
【００３９】
その開口部１９の直下に、図１３及び図１４に示すように接着剤２０を介して離型材２１が設けられている。一方、袋本体１の他片１ｂ側の略中央よりわずかに下側にも接着剤２２を介して離型材２３が設けられている。
【００４０】
また、本実施形態では、返信時の宛先宛名表示欄１３は、封緘片３側、より具体的には封緘片３の一片３ａ側に表示されており、この点で袋本体１側に返信時の宛先宛名表示欄１３が表示されている実施形態１の場合と相違する。
【００４１】
本実施形態においても、往信時には発信者が袋本体１の宛先宛名表示欄１２に所定の宛先宛名を表示し、封入物１４を袋本体１内に収容し、図１５に示すように封緘片３を折り曲げて袋本体１の他片１ｂ側に接着して郵送する。この場合、予め離型材２３は剥離しておき、接着剤２２を介して封緘片３の先端側、より具体的には封緘片３の他片３ｂの先端側を袋本体１の他片１ｂ側に接着する。
【００４２】
本実施形態においては、返信時の宛先宛名表示欄１３は封緘片３の一片３ａ側に表示されているので、封緘片３で袋本体１を封緘した際に返信時の宛先宛名表示欄１３は外側に位置し、従って覆い隠されるわけではない。しかし、袋本体１の一片１ａ側に表示された宛先宛名表示欄１２が往信時のものであることが明確に特定されていれば、返信時の宛先宛名表示欄１３が裸出された状態であっても特に郵送上の混乱は生じないものと認められる。
ただし、往信時の宛先宛名表示欄１２は、その旨の表示を明確にしておく必要がある。
【００４３】
一方、返信時には、先ず封緘片３を袋本体１から剥離し、図１６に示すようにミシン目１５を介して封緘片３を袋本体１から切り取る。次に、図１７及び図１８に示すように、封緘片３の開口部１９から返信用の封入物１６を封緘片３の袋部内に封入し、切り取り後の残片２４を上向きに折り曲げるとともに、接着剤２０を介して封緘片３の他片３ｂ側に折り曲げる。
【００４４】
このように、返信用の封入物１６が封入され、封緘された状態で、封緘片３が返信用の封筒として返送されることとなる。
【００４５】
本実施形態では、返信時には袋本体１は使用されず、封緘片３のみが返信用の封筒として使用され、その封緘片３に返信時の宛先宛名表示欄１３が表示されているので、返信時において郵送上の混乱が生ずるおそれはない。また返信時に使用されない袋本体１は、書類の保管等用として使用される。
【００４６】
本実施形態においては、往信時の宛先宛名表示欄１２が袋本体１の一片１ａ側に表示され、返信時の宛先宛名表示欄１３が封緘片３の一片３ａ側に表示され、これらの袋本体１及び封緘片３の一片１ａ、３ａは、もともと一体である１枚の紙の同じ紙面上であるため、往信時の宛先宛名表示欄１２と返信時の宛先宛名表示欄１３とは同じ紙面上に表示すればよいこととなる。
従って、印刷等で宛先宛名を表示する場合には、同じ印刷の版で往信時の宛先宛名表示欄１２と返信時の宛先宛名表示欄１３とを同時に印刷することができ、印刷のためのコストも、往復用ではない単なる封筒に比べて何ら増大することがなく、また往信用封筒内に返信用封筒を同封して用いていた従来の場合に比べて、製造コスト及び印刷コストがともに著しく削減されることとなる。
【００４７】
（実施形態５）
本実施形態では、図１９及び図２０に示すように、返信時の宛先宛名表示欄１３が封緘片３の他片３ｂ側に表示されており、この点で封緘片３の一片３ａ側に宛先宛名表示欄１３が表示されていた実施形態４の場合と相違する。
【００４８】
本実施形態では、返信時の宛先宛名表示欄１３が封緘片３の他片３ｂ側に表示されているので、往信時に封緘片３で封筒本体１が封緘される場合、返信時の宛先宛名表示欄１３は封筒本体１の他片１ｂ側と対面することになるので、封緘片３自体によって宛先宛名表示欄１３が覆い隠されることとなり、外部に裸出することがない。従って、返信時おいて郵送上の混乱等が生ずるおそれもない。
【００４９】
尚、封筒の断面構造は実施形態４の場合と同じであり、返信時の構造等も実施形態４と同じであるので、これらの図は省略している。また、上記宛先宛名表示欄１３の表示面以外の構成は、実施形態４と同じであるので、その説明は省略する。
【００５０】
（実施形態６）
本実施形態においては、図２１乃至図２３に示すように、封緘片３側の開口部１９は該封緘片３の上部に形成されており、この点で封緘片３の下部に開口部１９が形成されていた上記実施形態４及び５の場合と相違する。
【００５１】
本実施形態では、図２２に示すように封緘片３の表裏両片３ａ，３ｂ  の両側縁部１８ａ，１８ｂ  及び下縁部１８ｃ  の三方が熱圧着され、図２２及び図２３に示すようにその下縁部１８ｃ  の直下に接着剤２７を介して離型材２８が設けられている。また、開口部１９の上部に接着剤２５を介して離型材２６が設けられている。
【００５２】
本実施形態においても、往信時には発信者が袋本体１の宛先宛名表示欄１２に所定の宛先宛名を表示し、封入物１４を袋本体１内に収容し、図２４に示すように封緘片３を折り曲げて袋本体１の他片１ｂ側に接着して郵送する。この場合、予め離型材２６は剥離しておき、接着剤２５を介して封緘片３の先端側、より具体的には封緘片３の他片３ｂの先端側である補助封緘片３０を袋本体１の他片１ｂ側に接着する。
【００５３】
一方、返信時には、先ず封緘片３を袋本体１から剥離し、図２５に示すようにミシン目１５を介して封緘片３を袋本体１から切り取る。次に図２６に示すように、封緘片３の開口部１９から返信用の封入物１６を封緘片３の袋部内に封入し、切り取り後の補助封緘片３０を下向きに折り曲げるとともに、接着剤２５を介して封緘片３の他片３ｂ側に折り曲げて接着する。
【００５４】
本実施形態においても、返信時の宛先宛名表示欄１３が封緘片３の他片３ｂ側に表示されているので、往信時に封緘片３で袋本体１が封緘される場合、返信時の宛先宛名表示欄１３は袋本体１の他片１ｂ側と対面することになるので、封緘片３自体によって宛先宛名表示欄１３が覆い隠されることとなり、外部に裸出することがない。従って、返信時おいて郵送上の混乱等が生ずるおそれもない。
【００５５】
また、返信時には封緘片３を切り取り、その封緘片３を返信用封筒として好適に使用することができるのである。
【００５６】
（実施形態７）
本実施形態では、図２７乃至図２９に示すように、袋本体１の側方に開口部５が存在し、その開口部５から袋本体１の一片１ａが側方に延長されて封緘片３が形成されている。そして、封緘片３の表面側に往信時の宛先宛名表示欄１２が設けられており、この点で袋本体１側に往信時の宛先宛名表示欄１２が設けられている上記各実施形態と相違する。
【００５７】
また、返信時の宛先宛名表示欄１３は、合成樹脂フィルムからなる袋本体１の他片１ｂ側に表示されている。この場合、マットインキ等で予め所定の宛先宛名等が印刷されることとなる。
【００５８】
本実施形態においては、往信時に封緘片３の宛先宛名表示欄１２に所定の宛先宛名を表示し、袋本体１内に所定事項を記載した封入物１４を開口部５から袋本体１内に収容し、図３０及び図３１に示すように封緘片３を折り曲げ、離型材８、９を剥離した後、接着剤６、７を介して袋本体１の他片１ｂ側に接着する。
【００５９】
本実施形態においては、往信時の宛先宛名表示欄１２が封緘片３の表面側に形成され、その封緘片３によって袋本体１の他片１ｂ側が覆われるため、往信時においては封緘片３に表示された宛先宛名表示欄１２に基づいて郵送が行われるとともに、返信時の宛先宛名表示欄１３が封緘片３によって隠蔽されるので、郵送上混乱を生ずることがない。
【００６０】
一方、上記のような往復封筒を受信した受信者は、実施形態１の場合と同様に封緘片３を袋本体１から剥離して開封し、封入物１４の記載内容を見て、別に準備された返答用紙に所定事項を表示し、返信のために袋本体１内に返信用の封入物１６として封入する。
【００６１】
返信者は、図３２に示すようにミシン目１５を介して封緘片３を袋本体１から切り取り、その後、図３３に示すように離型材１１を剥離し、接着剤１０を介して袋本体１の一片１ａ側の上部を他片１ｂ側の上部に接着する。これによって袋本体１の開口部５が閉塞され、返信用の封筒として返信することが可能となる。
【００６２】
返信時においては、袋本体１の他片１ｂ側の宛先宛名表示欄１３に表示された宛先宛名に基づいて郵送が行われる。この場合、往信時の宛先宛名表示欄１２が表示された封緘片３は切除されているので、郵送上混乱が生じるおそれもない。
【００６３】
（その他の実施形態）
尚、上記実施形態では、袋本体１の一片１ａが紙、他片１ｂが合成樹脂製フィルムで構成されていたが、これに限らず、袋本体１の両片１ａ，１ｂ  をともに紙で構成するとも可能である。
【００６４】
或いは、袋本体１の両片１ａ，１ｂ  をともに合成樹脂フィルムで構成することも可能である。両片１ａ，１ｂ  ともに合成樹脂フィルムで構成する場合には、往信時における宛先宛名表示欄１２及び返信時における宛先宛名表示欄１３に文字等を筆記することができるようにマットインキ等を塗着する必要がある。
【００６５】
また、上記実施形態では袋本体１の他片１ｂのフィルムとして延伸ポリプロピレン製のフィルムを使用したが、フィルムの種類はこれに限定されず、例えばポリエチレンテレフタレート、ポリプロピレン、ポリエチレン等のフィルムを使用することもできる。
【００６６】
さらに、上記実施形態では、袋本体１の一片１ａの裏面側に、ラミネート層４を形成し、そのラミネート層４を介して袋本体１の紙製の一片１ａが合成樹脂製の他片１ｂに接着されていたが、このようなラミネート層４を形成せずに、たとえば感熱接着剤を袋本体１の両側縁部２ａ，２ｂ  及び底縁部２ｃの三辺に設け、その感熱接着剤を介して一片１ａを他片１ｂに接着するようにしてもよい。
【００６７】
さらに、上記実施形態では、往復通信用袋体を封筒に適用する場合について説明したが、封筒に限らず、たとえば宅配便用の袋体に適用することも可能である。この場合、袋本体１に往信時における宛先宛名表示欄１２を形成することも可能ではあるが、袋本体１にはこのような宛先宛名表示欄１２を形成せず、宛先宛名を表示したラベル、シール、帳票等を袋本体１に貼着してもよい。
【００６８】
さらに、封筒や宅配便用袋体のように郵送，輸送を前提とするもの以外に、たとえば投げ込み投函用のポスティング袋のようなものに本発明を適用することも可能である。この場合には、発信者が往復通信用袋体を持参して直接受信者の住居等の投函口に入れるので、往信時における宛先宛名の表示が不要となり、従って宛先宛名表示欄１２を袋本体１に表示する必要もない。ただし、この場合でも封緘片３に返信時における宛先宛名表示欄１３が表示されていれば、受信者は封緘片３を切り取って、返信用葉書として往信者に返信することができるのである。
【００６９】
【発明の効果】
以上のように、本発明は、袋本体のいずれか一片が他片より延長されて封緘片が形成され、且つ該封緘片に返信用封筒が具備されているので、その往信時においては袋本体自体を封筒として使用し、返信時には封緘片を封筒として使用することができるので、従来のように返信用の封筒を別に準備して往信用の封筒に同封する必要がなく、１つの封筒を往復通信用として使用できるので、製造コストも低減できるという効果がある。
【００７０】
この場合、返信用封筒がミシン目を介して袋本体から切り取り可能に形成されていれば、返信時において返信用封筒を袋本体から切り取って迅速且つ容易に返信することができるという効果がある。
【００７１】
また、袋本体の一片又は封緘片に往信時の宛先、宛名を表示する往信表示欄が設けられているとともに、封筒本体の他片に返信時の宛先、宛名を表示する返信表示欄が設けられ、且つ該返信時の宛先、宛名を表示する表示欄が往信時において封緘片によって隠蔽されるように構成されている場合には、少なくとも往信時においては返信用の宛先、宛名表示欄が隠蔽され、外部に裸出されることがないので、郵送業務上或いは郵便法上何ら混乱を生ずることなく往復通信を行うことができるという効果がある。
【００７２】
さらに、往信時の宛先、宛名を表示する往信表示欄及び返信時の宛先、宛名を表示する返信表示欄が１つの封筒に表示されうるので、封筒への必要な印刷も、封筒本体と封緘片とに同時に行う一連の印刷工程において行うことができ、印刷のためのコストも高くなることがない。
【００７３】
また封緘片が、返信時において袋本体から分離可能に構成されている場合には、返信時の宛先、宛名を表示する表示欄が返信時に封緘片によって不用意に隠蔽されることがないという効果がある。
【図面の簡単な説明】
【図１】一実施形態の往復封筒の正面図。
【図２】同背面図。
【図３】図１のＡ−Ａ線断面図。
【図４】封筒本体の要部拡大断面図。
【図５】図１のＢ−Ｂ線断面図。
【図６】封緘時の断面図。
【図７】封緘片を切り取った状態の断面図。
【図８】返信時の断面図。
【図９】封緘片で往信表示部を隠蔽した状態の断面図。
【図１０】他実施形態の正面図。
【図１１】他実施形態の正面図。
【図１２】他実施形態の正面図。
【図１３】同背面図。
【図１４】図１２のＣ−Ｃ線断面図。
【図１５】同封緘時の断面図。
【図１６】同封緘片を切り取った状態の断面図。
【図１７】返信時の封緘片の正面図。
【図１８】図１７のＤ−Ｄ線断面図。
【図１９】他実施形態の正面図。
【図２０】同背面図。
【図２１】他実施形態の正面図。
【図２２】同背面図。
【図２３】図２１のＥ−Ｅ線断面図。
【図２４】同封緘時の断面図。
【図２５】同封緘片を切り取った状態の断面図。
【図２６】返信時の封緘片の正面図。
【図２７】他実施形態の正面図。
【図２８】同背面図。
【図２９】図２７のＦ−Ｆ線断面図。
【図３０】同封緘時の正面図。
【図３１】同封緘時の断面図。
【図３２】同封緘片を切り取った状態の断面図。
【図３３】返信時の袋本体の断面図。
【符号の説明】
１…袋本体              １ａ…一片
１ｂ…他片                ３…封緘片
【図１】
2004256150.tif 000003
【図２】
2004256150.tif 000004
【図３】
2004256150.tif 000005
【図４】
2004256150.tif 000006
【図５】
2004256150.tif 000007
【図６】
2004256150.tif 000008
【図７】
2004256150.tif 000009
【図８】
2004256150.tif 000010
【図９】
2004256150.tif 000011
【図１０】
2004256150.tif 000012
【図１１】
2004256150.tif 000013
【図１２】
2004256150.tif 000014
【図１３】
2004256150.tif 000015
【図１４】
2004256150.tif 000016
【図１５】
2004256150.tif 000017
【図１６】
2004256150.tif 000018
【図１７】
2004256150.tif 000019
【図１８】
2004256150.tif 000020
【図１９】
2004256150.tif 000021
【図２０】
2004256150.tif 000022
【図２１】
2004256150.tif 000023
【図２２】
2004256150.tif 000024
【図２３】
2004256150.tif 000025
【図２４】
2004256150.tif 000026
【図２５】
2004256150.tif 000027
【図２６】
2004256150.tif 000028
【図２７】
2004256150.tif 000029
【図２８】
2004256150.tif 000030
【図２９】
2004256150.tif 000031
【図３０】
2004256150.tif 000032
【図３１】
2004256150.tif 000033
【図３２】
2004256150.tif 000034
【図３３】
2004256150.tif 000035